(57)【要約】【課題】化粧具の取り出し及び収納をより簡単な操作で手間をかけずに行うこと。【解決手段】容器本体及び蓋体の後方をヒンジにて蝶着し、前記容器本体及び前記蓋体の前方に配置されるフックピースの係合又は係合解除により開閉自在に構成されるコンパクト容器であって、前記フックピースの側面上部に、前記容器本体に対して枢支する枢支軸が配設され、前記フックピースの下部に、化粧具を押し上げる押上部材が前記容器本体内部方向に延設され、前記フックピースの前方下端に、前記容器本体と当接する際の摩擦抵抗により前記フックピースの姿勢を保持する保持突起が配設されることを特徴とする。【選択図】  図１
2008073068.tif 000002
【特許請求の範囲】
【請求項１】
容器本体及び蓋体の後方をヒンジにて蝶着し、前記容器本体及び前記蓋体の前方に配置されるフックピースにより前記容器本体と前記蓋体との係止を解除して開閉自在に構成されるコンパクト容器であって、
前記フックピースの側面上部に、前記容器本体に対して枢支する枢支軸が配設され、
前記フックピースの下部に、化粧具を押し上げる押上部材が前記容器本体内部方向に延設され、
前記フックピースの前方下端に、前記容器本体と当接する際の摩擦抵抗により前記押上部材の姿勢を保持する保持突起が配設されることを特徴とするコンパクト容器。
【請求項２】
前記保持突起が当接する前記容器本体の当接部には、弾性変形をしやすいように切欠が形成されることを特徴とする請求項１に記載のコンパクト容器。
【発明の詳細な説明】
【技術分野】
【０００１】
本発明は、パフ、スポンジ等の化粧具を押し上げる押上部材を有するコンパクト容器に関する。
【背景技術】
【０００２】
従来、コンパクト容器のフックピースの下部を容器内部へ延設し、押上部材としたものがある（例えば、特許文献１、２参照）。これらの押上部材は、蓋体の係合を解除した後のフックピースの下部を使用者が更に押し込むと、容器本体内に収納される化粧具を押し上げる。このように、フックピースに押上部材を配設すると、容器本体に収納した化粧具を容器外に突出させることができ、化粧具を容易に取り出すことができる。
【０００３】
【特許文献１】実開昭６２−２０４５０２号公報
【特許文献２】実開昭６３−２８４０７号公報
【発明の開示】
【発明が解決しようとする課題】
【０００４】
しかしながら、上記従来の技術においては、次のような課題があった。
【０００５】
特許文献１では、フックピースの姿勢を保持する手段がない。このため、フックピースの下部を押し込み、押上部材が化粧具を容器本体内から突出させた時、使用者がフックピースを押さえていないと、化粧具が自重により押上部材を介してフックピースを下げて、元の状態に収納されてしまう。このため、化粧具を取るまで片方の手でフックピースを押さえておく必要があり、化粧具の取り出し作業に手間がかかるという問題があった。
【０００６】
特許文献２では、フックピースの姿勢を保持するため係合用突子を設けている。すると、フックピースの下部を押し込んだ時に係合用突子が、容器本体に形成される係合用凹部に嵌まり込む。これにより、フックピースの姿勢が保持される。
【０００７】
ここで、係合用突子を係合用凹部に嵌めるためには、使用者が確実に嵌め込むために相応の力を加える必要がある。また、化粧具を収納する時は、フックピースの押上部材に相応の力を加えて保持を解除しないと、化粧具が容器本体内に収納されない。このため、化粧具を取り出すときも収納するときも手間がかかるといった問題があった。
【０００８】
そこで本発明の目的は、化粧具の取り出し及び収納をより簡単な操作で手間をかけずに行うことである。
【課題を解決するための手段】
【０００９】
前記目的を達成するための本発明の第１のコンパクト容器は、容器本体及び蓋体の後方をヒンジにて蝶着し、前記容器本体及び前記蓋体の前方に配置されるフックピースにより前記容器本体と前記蓋体との係止を解除して開閉自在に構成されるコンパクト容器であって、前記フックピースの側面上部に、前記容器本体に対して枢支する枢支軸が配設され、前記フックピースの下部に、化粧具を押し上げる押上部材が前記容器本体内部方向に延設され、前記フックピースの前方下端に、前記容器本体と当接する際の摩擦抵抗により前記押上部材の姿勢を保持する保持突起が配設されることを特徴とする。
【００１０】
第２のコンパクト容器は、前記保持突起が当接する前記容器本体の当接部の側方には、切欠が形成されることを特徴とする。
【発明の効果】
【００１１】
第１のコンパクト容器によれば、フックピースの前方下端に配設された保持突起が容器本体と当接する摩擦抵抗によって、フックピースの姿勢が保持される。また、フックピースの押し込む程度によって、保持突起の容器本体に対する摩擦抵抗が変化するため、フックピースの保持力を自由に調節することができる。更に、フックピースは摩擦抵抗のみにより保持されるため、化粧具を押上部材上に載置すると、化粧具が自重により押上部材を押し下げることができる。このため、容易にフックピースの姿勢の保持の解除をすることができる。
【００１２】
第２のコンパクト容器によれば、容器本体の当接部の側方に形成される切欠が、保持突起と当接する容器本体の当接部の弾性変形をしやすくする。当接部の弾性変形をしやすくすることによって、そりの影響を緩和し、安定した保持力を発揮することができる。
【発明を実施するための最良の形態】
【００１３】
図を用いて本発明の実施形態を説明する。図１は蓋体を閉じたときのコンパクト容器の断面図であり、図２は容器本体とフックピースとの関係を説明する斜視図であり、図３は蓋体を開いたときのコンパクト容器断面図である。
【００１４】
（コンパクト容器１の概略構成）
図１に示すように、コンパクト容器１は、化粧具Ｐを収納する容器本体10と、容器本体10に対して後方で蝶着されて蓋となる蓋体20と、容器本体10及び蓋体20の前方に係合して蓋体20の開閉を司るために容器本体10に枢支されるフックピース30とを有する。
【００１５】
コンパクト容器１は、図１（ａ）に示すように、後方が容器本体10のヒンジ部11と蓋体20のヒンジ部21とが軸Ａにより接続され、蝶着される。また、前方では容器本体10の係止突起12と蓋体20の係止突起22とが互いに係止されて、蓋体20が容器本体10に止められる。更に、それらの係止を解除するためのフックピース30が、枢支溝31（図２参照）を容器本体10側の枢支軸13に枢支されることで係合している。次に、各部について更に詳細に説明する。
【００１６】
容器本体10は、図１及び図２に示すように、その前方にフックピース30が枢支されるフックピース設置部14が形成される。また、化粧具Ｐを収納する収納部15が形成される。フックピース設置部14と収納部15は概ね前方の壁16で仕切られているが、フックピース設置部14の下面から収納部15の前方下面に、フックピース30の押上部材32が通る穴16ａが形成される。
【００１７】
蓋体20は、図１に示すように、その下面に鏡Ｍが付帯される。また、蓋体20が閉じた状態において、蓋体20前方でフックピース設置部14の上部の部分が、フックピース30の上面30ａと当接する。
【００１８】
フックピース30は、図２に示すように、上述のように枢支軸13に枢支される枢支溝31を有する。また、フックピース30の下部には、化粧具Ｐを押し上げる押上部材32が容器本体内部方向に延設される。押上部材32は、フックピース30の下方で収納部15のある側に、穴16ａを通って収納部15のアーム載置溝15ａに入り込む。更に、フックピース30の前方下端に、保持突起33が配設される。保持突起33は、容器本体10と当接する際の摩擦抵抗により押上部材32の姿勢を保持する。
【００１９】
（コンパクト容器１の開閉）
以上の構成により、コンパクト容器１の開閉は次のようになる。まず、図１に示すように蓋体20が閉じた状態においては、係止突起12と係止突起22とが互いに係止している。
【００２０】
蓋体20を開ける際には、フックピース30の下部を容器本体10内部方向に押圧する。すると、フックピース30の上面30ａが、蓋体20の前方中央部23の下面を押し上げる。これにより、係止突起22と係止突起12との係止が外れる。
【００２１】
蓋体20を再び閉じるときには、蓋体20を容器本体10に対して押圧する。すると、係止突起22と係止突起12とが再び係止する。これにより、蓋体20が容器本体10に対して閉じる。
【００２２】
（フックピース30の化粧具保持構成）
次に、フックピース30が化粧具Ｐを保持する構成について、詳細に説明する。
【００２３】
使用者がフックピース30の下部を押圧して、フックピース30が枢支溝31を中心に回動する。すると、図３（ａ）に示すように、フックピース30の下部に形成された押上部材32が、化粧具Ｐを押し上げる。これにより、化粧具Ｐは容器本体10の収納部15から突出し、使用者から取り出しやすい状態になる。
【００２４】
ここで、図３（ｂ）に示すように、フックピース30の下部を更に容器本体方向に押し込むと、フックピース30の保持突起33が、容器本体10のフックピース設置部14の下面に形成された保持突起33との当接部14ａに当接する。この当接する際の摩擦抵抗により、フックピース30の姿勢を保持することができる。
【００２５】
尚、保持突起33は、容器本体側に押し込めば押し込むほど、枢支溝31からの回動半径Ｒが大きくなるように構成するとよい。このようにすると、押し込めば押し込むほど保持突起33と当接部14ａとの摩擦抵抗が大きくなり、より確実に押上部材32の姿勢を保持することができる。
【００２６】
また、図２に示すように、フックピース設置部14の当接部14ａにおいて、保持突起33が当接する容器本体10の当接部14ａには、弾性変形をしやすいように切欠14ｂが形成される。このように切欠14ｂを形成すると、保持突起33と当接する容器本体10の当接部14ａの弾性変形をしやすくする。当接部14ａの弾性変形をしやすくなることによって、次のような作用効果がある。即ち、容器本体或いはフックピースに成形状のそり変形があった場合、寸法にばらつきが発生することがある。この場合においても、弾性変形することで、そりの影響を緩和・吸収し、融通がきくようになる。この結果、安定した保持力を発揮することができる。
【００２７】
本実施形態のコンパクト容器１は、フックピース30の姿勢を摩擦抵抗によって保持することとした。このため、使用者の好みの適度な保持力を付与することができる。また、保持突起33が当接部14ａに当接するいずれの位置においても、フックピース30の姿勢を保持することができる。このため、化粧具Ｐを保持する位置を使用者の好みの位置とすることができる。
【００２８】
また、フックピースの押し込む程度によって、保持突起の容器本体に対する摩擦抵抗が変化する。このため、フックピースの保持力を自由に調節することができる。また、フックピース30下方を押圧するのみでフックピース30の姿勢を保持することができるため、化粧具Ｐの取り出しを容易に行うことができる。
【００２９】
また、フックピース30の姿勢を摩擦抵抗によって保持すると、従来の係合用突子を係合用凹部に嵌める構成に比べて、容易にフックピース30の姿勢が保持された状態を解除することができる。例えば、押上部材32上に使用後の化粧具Ｐを置き、使用者が軽く化粧具Ｐを下方に押すことにより、押上部材32を下げることができる。
【００３０】
尚、従来のように係合用突子を係合用凹部に嵌める構成であると、寸法制度を高くする必要がある。つまり、経年劣化により突子や凹部が削れてしまうと、十分に嵌合しなくなってしまう。この場合、保持力が急激に低下することもある。これに対して本実施形態の構成によれば、保持突起33が若干削れたとしても、より回動半径Ｒの大きい部分で十分な摩擦抵抗を得ることができる。このため、経年劣化によるフックピース30の保持力の低下を低減することができる。
【００３１】
また、フックピース30に形成される保持突起33は、フックピース30と一体的に形成され、金型を加工することで高さを容易に変更することができ、保持力を容易に調整することができる。
【００３２】
また、本実施形態においてはフックピース30の下端に保持突起33を配設している。これにより、図３（ｂ）に示す回動半径Ｒを大きくとることができる。回動半径Ｒを大きくすることで、押上部材32が上昇する量を小さくすることができる。
【００３３】
〔他の実施形態〕
本実施形態においては、容器本体10側に突出した枢支軸13を形成し、フックピース30側に枢支溝31を形成したが、これに限るものではない。容器本体10側に枢支溝を形成し、フックピース30側に突出した軸を形成してもよい。
【産業上の利用可能性】
【００３４】
本発明は、パフ、スポンジ等の化粧具を押し上げる押上部材を有するコンパクト容器に利用することができる。
【図面の簡単な説明】
【００３５】
【図１】蓋体を閉じたときのコンパクト容器の断面図。
【図２】容器本体とフックピースとの関係を説明する斜視図。
【図３】蓋体を開いたときのコンパクト容器断面図。
【符号の説明】
【００３６】
Ａ…軸、Ｍ…鏡、Ｐ…化粧具、Ｒ…回動半径、１…コンパクト容器、10…容器本体、11…ヒンジ部、12…係止突起、13…枢支軸、14…フックピース設置部、14ａ…当接部、14ｂ…切欠、15…収納部、15ａ…アーム載置溝、16…壁、16ａ…穴、20…蓋体、21…ヒンジ部、22…係止突起、23…前方中央部、30…フックピース、30ａ…上面、31…枢支溝、32…押上部材、33…保持突起
【図１】
2008073068.tif 000003
【図２】
2008073068.tif 000004
【図３】
2008073068.tif 000005